(57)【要約】【課題】外部インターフェイスを介して外部機器と通信を行っている状態において、誤って接続状態を解除されないように制御する電子機器、制御方法及びプログラムを提供することを。【解決手段】外部機器に接続される外部インターフェイス１４と、加速度センサ部２１と、報知部２２と、外部インターフェイス１４を介して外部機器と通信を行っている際に、加速度センサ部２１において検出された検出値が所定の閾値以上の場合には、報知部２２により外部インターフェイス１４を介して外部機器と通信を行っている旨を報知する制御部２３とを備える。【選択図】図３
2014090264.tif 000002
【特許請求の範囲】
【請求項１】
外部機器に接続される接続部と、
加速度センサ部と、
報知部と、
前記接続部を介して前記外部機器と通信を行っている際に、前記加速度センサ部において検出された検出値が所定の閾値以上の場合には、前記報知部により前記接続部を介して前記外部機器と通信を行っている旨を報知する制御部とを備える電子機器。
【請求項２】
前記報知部は、ディスプレイであり、
前記制御部は、前記接続部を介して前記外部機器と通信を行っている旨の情報を前記ディスプレイに表示する請求項１記載の電子機器。
【請求項３】
前記制御部は、所定の条件を満たしている場合に、前記ディスプレイをＯＦＦ状態にし、
前記ディスプレイがＯＦＦ状態で、かつ、前記接続部を介して前記外部機器と通信を行っている際に、前記加速度センサ部において検出された検出値が所定の閾値以上の場合には、前記ディスプレイをＯＮ状態にして、前記接続部を介して前記外部機器と通信を行っている旨を前記ディスプレイに表示する請求項２記載の電子機器。
【請求項４】
接続部を介して外部機器と通信を行っている際に、加速度センサ部において検出された検出値が所定の閾値以上の場合には、前記接続部を介して前記外部機器と通信を行っている旨を報知する報知工程を備える制御方法。
【請求項５】
接続部を介して外部機器と通信を行っている際に、加速度センサ部において検出された検出値が所定の閾値以上の場合には、前記接続部を介して前記外部機器と通信を行っている旨を報知する報知工程をコンピュータに実行させるためのプログラム。
【発明の詳細な説明】
【技術分野】
【０００１】
本発明は、外部機器に接続される接続部を有する電子機器と、当該電子機器を制御する制御方法及びプログラムに関する。
【背景技術】
【０００２】
携帯端末等とテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢ（登録商標）コネクタを流用している。
【０００４】
また、携帯端末等とＰＣとをＵＳＢコネクタにより接続し、携帯端末等とＰＣとの間で相互にデータを送受信するシステムが知られている。
【先行技術文献】
【特許文献】
【０００５】
【特許文献１】特開２０１１−０９１６９９号公報
【発明の概要】
【発明が解決しようとする課題】
【０００６】
ところで、携帯端末等と、ＰＣ及びテレビ等の外部機器とをＨＤＭＩ等の規格に準拠したインターフェイスによって接続し、例えば、携帯端末から外部機器にデータを送信しているときに、誤って接続状態を解除（ケーブルを抜くこと）してしまい、データの送信を強制的に中断してしまうことがある。
【０００７】
本発明は、外部インターフェイスを介して外部機器と通信を行っている状態において、誤って接続状態を解除されないように制御する電子機器、制御方法及びプログラムを提供することを目的とする。
【課題を解決するための手段】
【０００８】
本発明に係る電子機器は、外部機器に接続される接続部と、加速度センサ部と、報知部と、前記接続部を介して前記外部機器と通信を行っている際に、前記加速度センサ部において検出された検出値が所定の閾値以上の場合には、前記報知部により前記接続部を介して前記外部機器と通信を行っている旨を報知する制御部とを備える構成である。
【０００９】
電子機器では、前記報知部は、ディスプレイであり、前記制御部は、前記接続部を介して前記外部機器と通信を行っている旨の情報を前記ディスプレイに表示する構成でもよい。
【００１０】
電子機器では、前記制御部は、所定の条件を満たしている場合に、前記ディスプレイをＯＦＦ状態にし、前記ディスプレイがＯＦＦ状態で、かつ、前記接続部を介して前記外部機器と通信を行っている際に、前記加速度センサ部において検出された検出値が所定の閾値以上の場合には、前記ディスプレイをＯＮ状態にして、前記接続部を介して前記外部機器と通信を行っている旨を前記ディスプレイに表示する構成でもよい。
【００１１】
本発明に係る制御方法は、接続部を介して外部機器と通信を行っている際に、加速度センサ部において検出された検出値が所定の閾値以上の場合には、前記接続部を介して前記外部機器と通信を行っている旨を報知する報知工程を備える構成である。
【００１２】
本発明に係るプログラムは、接続部を介して外部機器と通信を行っている際に、加速度センサ部において検出された検出値が所定の閾値以上の場合には、前記接続部を介して前記外部機器と通信を行っている旨を報知する報知工程をコンピュータに実行させるためのものである。
【発明の効果】
【００１３】
本発明によれば、外部インターフェイスを介して外部機器と通信を行っている状態において、誤って接続状態を解除されないように制御することができる。
【図面の簡単な説明】
【００１４】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】スマートフォンのディスプレイに所定のメッセージが表示される様子を模式的に示す図である。
【図７】スマートフォンの動作についての説明に供するフローチャートである。
【発明を実施するための形態】
【００１５】
本発明を実施するための実施形態を、図面を参照しつつ詳細に説明する。以下では、電子機器の一例として、スマートフォンについて説明する。
【００１６】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００１９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２１】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２２】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２３】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２４】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２５】
照度センサ４は、照度を検出する。例えば、照度とは、光の強さ、明るさ、輝度等である。照度センサ４は、例えば、ディスプレイ２Ａの輝度の調整に用いられる。
【００２６】
近接センサ５は、近隣の物体の存在を非接触で検出する。近接センサ５は、例えば、タッチスクリーンディスプレイ２が顔に近付けられたことを検出する。
【００２７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００２８】
カメラ１２は、フロントフェイス１Ａに面している物体を撮影するインカメラである。カメラ１３は、バックフェイス１Ｂに面している物体を撮影するアウトカメラである。
【００２９】
外部インターフェイス（接続部）１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３０】
本実施例に係るスマートフォン１は、外部インターフェイス１４を利用して外部機器と通信を行っている状態において、誤って接続状態を解除されないように制御する。以下に、具体的な構成について説明する。
【００３１】
スマートフォン１は、図３に示すように、外部インターフェイス１４と、加速度センサ部２１と、報知部２２と、制御部２３とを備える。
外部インターフェイス１４は、所定の信号伝送用規格（例えば、映像信号及び／又は音声信号の伝送用規格）に準拠しており、外部機器に接続される。所定の信号伝送用規格とは、例えば、ＨＤＭＩ規格又はＭＨＬ規格等である。
【００３２】
本実施例では、図４（ａ）に示すように、外部機器であるテレビ１０１とスマートフォン１がケーブル１０２で相互に接続される利用形態（第１利用形態）と、図４（ｂ）に示すように、外部機器であるＰＣ２０１とスマートフォン１がケーブル２０２で相互に接続される利用形態（第２利用形態）を想定している。
【００３３】
第１利用形態では、スマートフォン１のディスプレイ２Ａよりも大画面で、スピーカから大きな音を出力することができるテレビ１０１の特徴を活かした利用形態が考えられる。例えば、スマートフォン１は、映画等のコンテンツをテレビ１０１に送信し、テレビ１０１で映像と音声を出力させて視聴する利用形態が考えられる。また、スマートフォン１は、ゲームアプリケーションによる映像と音声をテレビ１０１に送信して、テレビ１０１で当該映像と音声を出力させ、ディスプレイ２Ａにゲームアプリケーションを操作するＵＩを表示する利用形態が考えられる。
【００３４】
第２利用形態では、ＰＣ２０１に格納されているデータをスマートフォン１に送信したり、スマートフォン１に格納されているデータをＰＣ２０１に送信したり、ＰＣ２０１に格納されているデータと、スマートフォン１に格納されているデータとを同期する利用形態が考えられる。
【００３５】
以下では、外部機器は、テレビ１０１であるとして説明する。テレビ１０１のインターフェイスとスマートフォン１の外部インターフェイス１４とは、同一の規格に準拠しているものとして説明するが、これに限られない。
【００３６】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００３７】
加速度センサ部２１は、例えば、スマートフォン１に働く加速度の方向及び大きさを検出し、検出結果を制御部２３に出力する。加速度センサ部２１は、例えば、Ｘ軸方向、Ｙ軸方向及びＺ軸方向の加速度を検出する３軸（３次元）タイプであって、スマートフォン１の外部から加わった力（Ｆ）とスマートフォン１の質量（ｍ）に基づいて、加速度（ａ）を測定する（加速度（ａ）＝力（Ｆ）／質量（ｍ））。
【００３８】
なお、加速度センサ部２１は、圧電素子（圧電式）に限らず、ピエゾ抵抗型、静電容量型、熱検知型等によるＭＥＭＳ（Ｍｉｃｒｏ  Ｅｌｅｃｔｒｏ  Ｍｅｃｈａｎｉｃａｌ  Ｓｙｓｔｅｍｓ）式や、可動コイルを動かしてフィードバック電流によってもとに戻すサーボ式や、加速度によって生じる歪を歪ゲージによって測定する歪ゲージ式等により構成されてもよい。
【００３９】
制御部２３は、外部インターフェイス１４を介して外部機器と通信を行っている際に、加速度センサ部２１において検出された検出値が所定の閾値以上の場合には、報知部２２により外部インターフェイス１４を介して外部機器と通信を行っている旨を報知する。
【００４０】
所定の閾値とは、机等に載置されているスマートフォン１をユーザが手に持ったときに加速度センサ部２１で検出される程度の検出値である。
【００４１】
スマートフォン１は、ユーザに持ち上げられたときに、外部インターフェイス１４を介して外部機器と通信を行っている旨を報知部２２によって報知するので、通信中であることをユーザに気付かせることができる。
このようにして、スマートフォン１は、外部インターフェイス１４を利用して外部機器と通信を行っている状態において、誤って接続状態を解除されないように制御する。
【００４２】
報知部２２は、ディスプレイ２Ａであってもよい。
制御部２３は、外部インターフェイス１４を介して外部機器と通信を行っている状態において、加速度センサ部２１から検出された検出値が所定の閾値以上の場合には、図６に示すように、外部インターフェイス１４を介して外部機器と通信を行っている旨のメッセージをディスプレイ２Ａに表示するように制御する。
【００４３】
なお、「警告！現在、テレビが接続中です」（図６中のＡ）は、メッセージの一例であってこれに限定されない。スマートフォン１は、テレビ１０１に対して送信しているデータの種類が分かっているので、例えば、「警告！現在、テレビにコンテンツを送信中です」等のメッセージでもよい。
【００４４】
なお、報知部２２は、音声を出力するスピーカ、振動を伝えるバイブレータ、発光する発光部等を含む概念でもよい。
【００４５】
報知部２２がスピーカの場合の制御部２３の動作について説明する。
制御部２３は、外部インターフェイス１４を介して外部機器と通信を行っている状態において、加速度センサ部２１から検出された検出値が所定の閾値以上の場合には、外部インターフェイス１４を介して外部機器と通信を行っている旨を示す音データをスピーカから出力する。
【００４６】
報知部２２がバイブレータの場合の制御部２３の動作について説明する。
制御部２３は、外部インターフェイス１４を介して外部機器と通信を行っている状態において、加速度センサ部２１から検出された検出値が所定の閾値以上の場合には、外部インターフェイス１４を介して外部機器と通信を行っている旨を示す振動パターンで振動するようにバイブレータを制御する。
【００４７】
報知部２２が発光部の場合の制御部２３の動作について説明する。
制御部２３は、外部インターフェイス１４を介して外部機器と通信を行っている状態において、加速度センサ部２１から検出された検出値が所定の閾値以上の場合には、外部インターフェイス１４を介して外部機器と通信を行っている旨を示す発光パターンで発光するように発光部を制御する。
【００４８】
なお、制御部２３は、ディスプレイ２Ａ、スピーカ等の複数の構成要素から、外部インターフェイス１４にテレビ１０１が接続されている状態である旨を示す報知を行う構成でもよい。
【００４９】
スマートフォン１は、ユーザに持ち上げられたときに、外部インターフェイス１４を介して外部機器と通信を行っている旨を報知部２２によって報知するので、通信中であることをユーザに気付かせることができる。
このようにして、スマートフォン１は、外部インターフェイス１４を介して外部機器と通信を行っている状態において、誤って接続状態を解除されないように制御する。
【００５０】
制御部２３は、所定の条件を満たしている場合に、ディスプレイ２ＡをＯＦＦ状態にする機能を有している。所定の条件とは、ディスプレイ２ＡがＯＮ状態で、所定時間以上、操作を受け付けなかった場合等である。スマートフォン１は、当該機能により省電力を図ることができる。
【００５１】
制御部２３は、ディスプレイがＯＦＦ状態で、かつ、外部インターフェイス１４を介して外部機器と通信を行っている際に、加速度センサ部２１において検出された検出値が所定の閾値以上の場合には、ディスプレイをＯＮ状態にして、外部インターフェイス１４を介して外部機器と通信を行っている旨をディスプレイ２Ａに表示する。
【００５２】
スマートフォン１は、ユーザに持ち上げられたときに、外部インターフェイス１４を介して外部機器と通信を行っている状態である旨（外部インターフェイス１４を介して外部機器と通信を行っている旨）をディスプレイ２Ａに表示するの、通信中であることをユーザに気付かせることができる。
このようにして、スマートフォン１は、外部インターフェイス１４を介して外部機器と通信を行っている状態において、誤って接続状態を解除されないように制御する。
【００５３】
つぎに、スマートフォン１の動作について、図７に示すフローチャートを参照しながら説明する。以下では、外部機器をテレビ１０１であるとして説明する。また、スマートフォン１からテレビ１０１に映画コンテンツを送信する使用形態を想定して説明する。
【００５４】
ステップＳＴ１において、制御部２３は、外部インターフェイス１４を介してテレビ１０１が接続されているかどうかを判断する。テレビ１０１が接続されていると判断した場合（Ｙｅｓ）には、ステップＳＴ２に進む。テレビ１０１接続されていないと判断した場合（Ｎｏ）には、ステップＳＴ１の工程を繰り返す。
【００５５】
ステップＳＴ２において、制御部２３は、映画コンテンツを再生し、テレビ１０１に出力する。具体的には、制御部２３は、ユーザの操作に応じて、映画コンテンツの再生が指示された場合、映画コンテンツの再生処理を開始する。また、制御部２３は、外部インターフェイス１４を介してテレビ１０１が接続されているので、処理後の映像コンテンツをテレビ１０１に出力する。
【００５６】
ステップＳＴ３において、制御部２３は、省電力設定の時間が経過したかどうかを判断する。省電力設定の時間とは、ディスプレイ２ＡをＯＮ状態からＯＦＦ状態にする機能を働かせる時間のことである。制御部２３は、ユーザによる操作がなくなった時点から省電力設定の時間が経過したかどうかを判断する。省電力設定の時間が経過したと判断した場合（Ｙｅｓ）には、ステップＳＴ４に進み、省電力設定の時間が経過していない場合（Ｎｏ）には、本工程を繰り返す。
【００５７】
ステップＳＴ４において、制御部２３は、ディスプレイ２ＡをＯＮ状態からＯＦＦ状態に遷移し、加速度センサ部２１を駆動させる。なお、制御部２３は、スマートフォン１が起動した際に、加速度センサ部２１を駆動させてもよく、加速度センサ部２１を駆動させるタイミングは、任意のタイミングであってもよい。
【００５８】
ステップＳＴ５において、制御部２３は、ユーザによってスマートフォン１が持ち上げられてかどうかを判断する。具体的には、制御部２３は、加速度センサ部２１から検出された検出値が所定の閾値以上だった場合には、ユーザによってスマートフォン１が持ち上げられたと判断する。持ち上げられたと判断した場合（Ｙｅｓ）には、ステップＳＴ６に進み、持ち上げられていないと判断した場合（Ｎｏ）には、本工程を繰り返す。
【００５９】
ステップＳＴ６において、制御部２３は、ディスプレイ２ＡをＯＦＦ状態からＯＮ状態に遷移して、外部インターフェイス１４を介して外部機器と通信を行っている状態である旨をディスプレイ２Ａに報知する。なお、制御部２３は、ディスプレイ２Ａによる報知に限られず、スピーカから所定の音データに基づく音声を出力してもよいし、所定の振動パターンで振動するようにバイブレータを駆動してもよいし、所定の発光パターンで発光するように発光部を制御してもよい。
【００６０】
スマートフォン１は、ユーザに持ち上げられたときに、外部インターフェイス１４を介して外部機器と通信を行っている状態である旨をディスプレイ２Ａに表示するの、通信中であることをユーザに気付かせることができる。
このようにして、スマートフォン１は、外部インターフェイス１４を介して外部機器と通信を行っている状態において、誤って接続状態を解除されないように制御する。
【００６１】
また、スマートフォン１は、具体的に以下のような効果も奏する。
スマートフォン１は、外部機器（テレビ、ＰＣ等）とＨＤＭＩ規格、ＭＨＬ規格、ＵＳＢ規格等によりと接続されて、コンテンツの表示、再生、データ通信を行っているときには、無操作状態になるので、省電力モードによりディスプレイ２ＡがＯＦＦ状態になる。このときに、ユーザが通信中であることに気付かずに、外部インターフェイス１４からケーブルを不意に抜いてしまうケースがある。本実施形態に係るスマートフォン１は、ユーザが手に持ったタイミングで、所定の報知を行うので、当該ケースを回避することができる。
【００６２】
また、ＰＣとスマートフォン１をＵＳＢ規格等で接続して、通信を行っている最中に（ＰＣ２０１に格納されているデータをスマートフォン１に送信したり、スマートフォン１に格納されているデータをＰＣ２０１に送信したり、ＰＣ２０１に格納されているデータと、スマートフォン１に格納されているデータとを同期したりしている最中に）、ケーブルを引き抜いた場合には、通信エラーを引き起こし、再度セットアップして最初からやり直す必要がある。本実施形態に係るスマートフォン１は、ユーザが手に持ったタイミングで、所定の報知を行うので、このような事態を回避することができる。
【００６３】
テレビ放送波を受信できる機能を有するスマートフォン１とテレビ１０１とが、ＨＤＭＩ規格、ＭＨＬ規格で接続されている状態において、テレビ１０１で放送コンテンツを視聴している場合には、当該放送コンテンツの供給先がスマートフォン１かテレビ１０１自身かは、一見して判別できず、誤ってケーブルを抜いてしまい、接続状態を強制的に解除するケースがある。
【００６４】
また、スマートフォン１からテレビ１０１に映画コンテンツを出力している場合において、接続状態が強制的に解除されてしまうと、スマートフォン１側の再生処理が進んでしまい、その後に再接続を行った場合、中断した場所をサーチする手間がかかってしまう可能性がある。本実施形態に係るスマートフォン１は、ユーザが手に持ったタイミングで、所定の報知を行うので、このような事態も回避することができる。
【００６５】
また、本実施例では、主にスマートフォンの構成と動作について説明したが、これに限られず、各構成要素を備え、外部インターフェイス１４を介して外部機器と通信を行っている状態において、誤って接続状態を解除されないように制御する制御方法、及びプログラムとして構成されてもよい。
【００６６】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００６７】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６８】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００６９】
また、本実施例では、外部インターフェイス（接続部）１４は、他の装置が接続される端子であるとして説明したが、本発明はこれに限定されず、外部インターフェイス（接続部）は、ブルートゥース（登録商標）、ＷｉＦｉ（登録商標）などの無線通信規格に準拠する無線インターフェイスであってもよい。したがって、本願発明の電子機器は、外部機器と無線通信規格に準拠する無線通信により通信可能に接続されていてもよい。
【００７０】
また、本実施例では、制御部は、報知部により接続部を介して外部機器と通信を行っている旨を報知するが、接続部を介して外部機器と通信を行っている旨の報知は、接続部を介して外部機器と通信を行っている際に、加速度センサ部において検出された検出値が所定の閾値以上である場合に報知されるものであれば、報知手段及び報知パターンが制限されることはなく、任意の報知手段及び報知パターンによる報知を採用することができる。
【符号の説明】
【００７１】
１  スマートフォン
２Ａ  ディスプレイ
１４  外部インターフェイス
２１  加速度センサ部
２２  報知部
２３  制御部
【図１】
2014090264.tif 000003
【図２】
2014090264.tif 000004
【図３】
2014090264.tif 000005
【図４】
2014090264.tif 000006
【図５】
2014090264.tif 000007
【図６】
2014090264.tif 000008
【図７】
2014090264.tif 000009